(57)【特許請求の範囲】
【請求項１】
規則的なパターンを有する判別パターン部と、
前記判別パターン部の周囲に設けられ、前記判別パターン部のパターンと半周期ずれたパターンを有するパターン縁取り部と、
前記判別パターン部、および前記パターン縁取り部に対して、見た目で判別できない程度の色と濃度を有する背景領域と、
を有する印刷物と、
前記判別パターン部、および前記パターン縁取り部と干渉するようなパターンを有する判別具と、
を用い、
前記印刷物と前記印刷物の複写物に前記判別具を重ね合わせるときのモアレパターンの有無により、前記印刷物と前記複写物とを判別することを特徴とする複写物の判別方法。
【請求項２】
規則的なパターンを有する判別パターン部と、
前記判別パターン部の周囲に設けられ、前記判別パターン部のパターンと半周期ずれたパターンを有するパターン縁取り部と、
前記判別パターン部、および前記パターン縁取り部に対して、見た目で判別できない程度の色と濃度を有する背景領域と、
を有することを特徴とする印刷物。
【請求項３】
規則的なパターンを有する判別パターン部と、
前記判別パターン部の周囲に設けられ、前記判別パターン部のパターンと半周期ずれたパターンを有するパターン縁取り部と、
を有する第１の判別領域と第２の判別領域とを有し、前記第１の判別領域と前記第２の判別領域ではパターンの角度が異なることを特徴とする請求項２に記載された印刷物。
【請求項４】
判別パターン部、および／またはパターン縁取り部のパターンが、間欠的であることを特徴とする請求項２に記載された印刷物。
【請求項５】
判別具の位置決めを示すマークを有することを特徴とする請求項２に記載された印刷物。
【発明の詳細な説明】
【０００１】
【発明の属する技術分野】
本発明は、金券や定期券等の印刷物を複写機で複写した複写物の判別方法、印刷物、および判別具に関するものである。
【０００２】
【従来の技術】
従来、金券等を複写機で複写した偽造物を抑制するために、印刷物中に複写機の解像力を越えた大きさの網点で構成された領域を設けることにより、複写機で複写した場合、その部分が白抜けになり、パターンが浮かび上がってくることを利用して偽造物を見分けるコピー牽制方式が用いられていた。
【０００３】
【発明が解決しようとする課題】
しかしながら、近年、カラー複写機の技術進歩により、カラー複写機の解像度が更に増したため、複写機の解像力を越えた大きさの網点を用いる方式では、そのコピー牽制効果を十分あげることが困難となっている。
【０００４】
本発明は、このような問題に鑑みてなされたもので、その目的とするところは、オリジナルの印刷物と、その複写物とを簡単に識別することができる複写物の判別方法、印刷物、および判別具を提供することにある。
【０００５】
【課題を解決するための手段】
前述した目的を達成するために本発明は、規則的なパターンを有する判別パターン部と、前記判別パターン部の周囲に設けられ、前記判別パターン部のパターンと半周期ずれたパターンを有するパターン縁取り部と、前記判別パターン部、および前記パターン縁取り部に対して、見た目で判別できない程度の色と濃度を有する背景領域と、を有する印刷物と、前記判別パターン部、および前記パターン縁取り部と干渉するようなパターンを有する判別具と、を用い、前記印刷物と前記複写物に前記判別具を重ね合わせるときのモアレパターンの有無により、印刷物と複写物とを判別することを特徴とする複写物の判別方法である。
【０００６】
【発明の実施の形態】
以下、図面に基づいて本発明の実施の形態を詳細に説明する。図１は、本発明の実施の形態に係る概略説明図である。印刷物１上に判別具３を置くとモアレパターンが生じる。また、印刷物１に代えて印刷物１の複写物上に判別具３を置くとモアレパターンが生じない。このように、モアレパターンの有無によりオリジナルの印刷物であるか、複写物であるかを判別する。
【０００７】
図２は、オリジナルの印刷物１に設けられた判別領域５の拡大図である。印刷物１としては、金券、定期券、馬券、船券、あるいはその他のシート類等がある。判別領域５は、判別パターン部７、パターン縁取り部９、背景領域１１を有する。  図３は、判別領域５内の領域１３を拡大した図である。判別パターン部７は、右４５度上がりの黒の等間隔ストライプの繰り返しである規則的なパターンを有する。パターン縁取り部９は、判別パターン部７の周囲に設けられ、判別パターン部７のパターンと半周期ずれたパターンを有する。背景領域１１は、判別パターン部７、およびパターン縁取り部９に対して、見た目で判別できない程度の色と濃度を有し、判別パターン部７またはパターン縁取り部９のパターンと同一かあるいは任意のパターンを有する。
印刷物１に判別具３を載せると、Ａという文字が見えるが、印刷物１自体を肉眼で見てもＡという文字を認識することは困難である。
【０００８】
図４は、図３の判別領域５と同様なパターンを持ち、文字Ａより単純化されたデザインの判別領域２１の拡大図である。判別領域２１は、判別パターン部２５、パターン縁取り部２７、背景領域２９を有する。ここで、判別パターン部２５は、右４５度上がりの黒の等間隔ストライプの繰り返しである規則的なパターンを有する。パターン縁取り部２７は、判別パターン部２５の周囲に設けられ、判別パターン部２５のパターンと半周期ずれた同様なパターンを有する。背景領域２９は、判別パターン部２５、およびパターン縁取り部２７とほぼ同じ濃度を有する。ここでは、右４５度上がりの黒のストライプを用いたが、ストライプの角度と色は自由に決められる。
【０００９】
図５は判別具３の拡大図である。判別具３は、光を透過するフィルム等からなる。判別具３は、判別パターン部２５のストライプと同様なストライプで構成され、判別パターン部２５、およびパターン縁取り部２７と干渉し、背景領域２９と干渉しない。
【００１０】
図６は、判別領域２１上に判別具３を載せた状態を示しており、判別パターン部２５は、判別具３のストライプと干渉し、完全に黒になる。また、パターン縁取り部２７は、判別部３のストライプと干渉し、背景領域２９よりも明るいグレーになる。背景領域２９は、判別具３と干渉しないため、グレーレベルは変化しない。従って、白の縁取りのある黒色のモアレパターンが浮かび上がる。図３の場合には、白の縁取りのある黒色の文字Ａが浮かび上がる。
【００１１】
図７は、図６の場合より半周期ずらして、判別領域２１上に判別具３を載せた状態を示しており、判別パターン部２５は、判別具３のストライプと干渉し、背景領域２９よりも明るいグレーになる。また、パターン縁取り部２７は、判別部３のストライプと干渉し、完全に黒になる。背景領域２９は、判別具３と干渉しないため、グレーレベルは変化しない。従って、黒の縁取りのある白色のモアレパターンが浮かび上がる。図３の場合には、黒の縁取りのある白色の文字Ａが浮かび上がる。
【００１２】
図８は、印刷物１を複写機で複写した複写物３３の拡大図である。一般的に印刷と複写機では画像パターンを生成するための変調方式が異なるので、印刷物１を複写すれば、複写物３３のパターンは図８に示すようなものとなる。
【００１３】
図９は、複写物３３に判別具３を載せた状態を示す。複写物３３に判別具３を載せても、どの部分とも干渉をおこさないので、モアレパターンを生じることはない。
【００１４】
このように本実施の形態によれば、判別具３を用いることにより、オリジナルの印刷物１と複写物３３とを簡単に判別することができる。なお、パターン縁取り部２７が存在するため、判別が行いやすく、立体感が生ずる。
尚、本実施の形態では、印刷物１には白地に黒でパターンを設けたが、黒色以外のパターンでもよい。また、白地以外の地色を用いてもよい。
尚、図１０に示すような、ストライプ幅が、判別パターン部２５ａのストライプ幅より小さい、半周期ずれたストライプを持つパターン縁取り部２７ａを用いてもよく、図１１に示すような、間欠的なストライプを持つ判別パターン部２５ｂ、パターン縁取り部２７ｂを用いてもよい。
【００１５】
なお、図８の複写物３３は、図２の印刷物を図４のＡ方向にスキャンしたものであるが、複写機で図４のＢ方向にスキャンした場合、判別具３を用いてオリジナルの印刷物１と複写物とを判別できないことがある。
【００１６】
このような場合、図１２に示すように、印刷物４１に第１判別領域４３と第２判別領域４５を設ける。第１判別領域４３を図３で示した領域１３とし、第２判別領域４５を図１３に示す領域４５のようにする。図１３に示す領域４５は、図３で示した領域１３と判別パターン部７、パターン縁取り部９、背景領域１１のストライプの方向が変わったものである。図１２において、Ａ方向にスキャンした場合は、第１判別領域４３に判別具３を載せて判別可能であり、Ｂ方向にスキャンした場合には、第２判別領域４５に判別具３を載せれば判別可能である。
【００１７】
また、印刷物５１上に判別具３を載せる場合、どの位置に判別領域５３があるかを決定することが困難な場合もあるので、図１４に示すように印刷物５１上に、星印等のマークで上位置決め５５ａ、右位置決め５５ｂ、下位置決め５５ｃ、左位置決め５５ｄを設けて、判別領域５３を容易に探せるようにしてもよい。なお、位置決めのマークは３個以上あればよい。また。判別具３にも、印刷物５１上のマークと整合するような位置決め用のマークを設けるようにしてもよい。
【発明の効果】
以上、詳細に説明したように本発明によれば、オリジナルの印刷物と、その複写物とを簡単に識別することができる複写物の判別方法、印刷物、および判別具を提供することができる。
【図面の簡単な説明】
【図１】  本実施の形態の概略説明図
【図２】  印刷物１に設けられた判別領域５の拡大図
【図３】  判別領域５内の領域１３の拡大図
【図４】  判別領域２１の拡大図
【図５】  判別具３の拡大図
【図６】  判別領域２１上に判別具３を載せた状態を示す図
【図７】  図６の場合より半周期ずらして、判別領域２１上に判別具３を載せた状態を示す図
【図８】  複写物３３の拡大図
【図９】  複写物３３に判別具３を載せた状態を示す図
【図１０】  ストライプ幅が、判別パターン部２５ａのストライプ幅の半分である、半周期ずれたストライプを持つパターン縁取り部２７ａを示す図
【図１１】  間欠的なストライプを持つ判別パターン部２５ｂ、パターン縁取り部２７ｂを示す図
【図１２】  印刷物４１を示す図
【図１３】  領域４５の拡大図
【図１４】  印刷物５１上の位置決めを示す図
【符号の説明】
１・・・印刷物
３・・・判別具
５・・・判別領域
７・・・判別パターン部
９・・・パターン縁取り部
１１・・・背景領域
１３・・・領域
２５・・・判別パターン部
２７・・・パターン縁取り部
２９・・・背景領域
３３・・・複写物
４１・・・印刷物
４３・・・第１判別領域
４５・・・第２判別領域
５１・・・印刷物
５３・・・判別領域
５５・・・位置決め
【図１】
0003789985.tif 000002
【図２】
0003789985.tif 000003
【図３】
0003789985.tif 000004
【図４】
0003789985.tif 000005
【図５】
0003789985.tif 000006
【図６】
0003789985.tif 000007
【図７】
0003789985.tif 000008
【図８】
0003789985.tif 000009
【図９】
0003789985.tif 000010
【図１０】
0003789985.tif 000011
【図１１】
0003789985.tif 000012
【図１２】
0003789985.tif 000013
【図１３】
0003789985.tif 000014
【図１４】
0003789985.tif 000015